(57)【要約】【課題】  イソチオシアン酸アリルと樹脂基剤とを含有する樹脂成形体をゲル状に形成したゲル状樹脂成形体組成物を提供する。【解決手段】  本発明のゲル状樹脂成形体組成物は、ゲル状忌避剤組成物及びゲル状抗菌防黴剤組成物として使用され、イソチオシアン酸アリルの含有量を、ゲル状樹脂成形体の全重量に対して２０重量％より多く８５重量％以下の範囲とする。また、ゲル状樹脂成形体のゴム硬度は、０．１〜１００の範囲とする。本発明のゲル状樹脂成形体は、塊状、シート状、フィルム状、粒状、粉末状又は皮膜状として形成することができる。ゲル状樹脂成形体は、イソチオシアン酸アリルとポリイソシアネートとを含有する薬剤混合物を、イソチオシアン酸アリルの揮発ガスを透過させる包材を少なくとも一部に有する収納体に充填した後ゲル化させて得られる揮散性ゲル状包装薬剤として使用することができる。【選択図】  なし【特許請求の範囲】
【請求項１】
揮散性薬剤とポリウレタンとを含有することを特徴とするゲル状樹脂成形体組成物。
【請求項２】
前記ゲル状樹脂成形体のゴム硬度が、０．１〜１００の範囲であることを特徴とする請求項１記載のゲル状樹脂成形体組成物。
【請求項３】
前記ポリウレタンは、イソシアネートの官能基数が２以上のポリイソシアネートから調製されることを特徴とする請求項１又は２記載のゲル状樹脂成形体組成物。
【請求項４】
前記ポリウレタンは、ヘキサメチレンジイソシアネート、イソホロンジイソシアネート、テトラメチルキシレンジイソシアネート、これらのイソシアヌレート変性体，ビュレット変性体及び誘導体、１，３，６−ヘキサメチレントリイソシアネート、水添キシリレンジイソシアネート、並びに水添ジフェニルメタンジイソシアネートからなる群から選択されるポリイソシアネート化合物から調製されることを特徴とする請求項３記載のゲル状樹脂成形体組成物。
【請求項５】
前記揮散性薬剤が、忌避剤、防虫剤、殺菌剤、殺虫剤、抗菌剤及び農薬からなる群から選択される化合物である請求項１乃至４の何れかに記載のゲル状樹脂成形体組成物。
【請求項６】
前記揮散性薬剤が薄荷油である請求項５記載のゲル状樹脂成形体組成物。
【請求項７】
前記ゲル状樹脂成形体の全重量に対して、前記薄荷油を２０重量％より多く４０重量％以下の範囲で含有していることを特徴とする請求項６記載のゲル状樹脂成形体組成物。
【請求項８】
前記揮散性薬剤がジャスミンオイルである請求項５記載のゲル状樹脂成形体組成物。
【請求項９】
前記ゲル状樹脂成形体の全重量に対して、前記ジャスミンオイルを２０重量％より多く４０重量％以下の範囲で含有していることを特徴とする請求項８記載のゲル状樹脂成形体組成物。
【請求項１０】
前記ゲル状樹脂成形体が、塊状、シート状、フィルム状、粒状、粉末状又は皮膜状であることを特徴とする請求項１項乃至９の何れかに記載のゲル状樹脂成形体組成物。
【請求項１１】
請求項１項乃至１０の何れかに記載のゲル状樹脂成形体組成物を前記揮散性薬剤の揮散速度の調節ための収納体に収納したことを特徴とする揮発性ゲル状包装薬剤。
【発明の詳細な説明】
【技術分野】
【０００１】
本発明は、ゲル状樹脂成形体に関し、更に詳しくは、イソチオシアン酸アリルを有効成分とし、有害生物の忌避、抗菌防黴等に於いて長期に亘り効果を発揮するゲル状樹脂成形体組成物、並びにゲル状樹脂成形体組成物を収納体に収納した揮散性ゲル状包装薬剤及びその製造方法に関するものである。
【背景技術】
【０００２】
イソチオシアン酸アリルはわさびの主成分として知られており、その刺激性を利用して各種の応用が考えられている。例えば、抗菌剤、防黴剤、腐敗防止剤、有害生物に対する忌避剤等の有効成分として利用することが考えられている。しかし、イソチオシアン酸アリルは比較的揮散性が高いため、その揮散速度を調節することが必要である。従って、使用に際しては、その使用目的に合わせたイソチオシアン酸アリルの揮散持続期間を設定し、イソチオシアン酸アリルの揮散量を調節することが必要となる。
【０００３】
このような点を考慮して様々な製品が提案されており、例えば、上記イソチオシアン酸アリルを合成樹脂フィルム表面上に吸着させ、その表面から微量のイソチオシアン酸アリルの蒸気を放出させてなる殺菌性を有する合成樹脂フィルムが提案されている（特許文献１）。また、フィルム等の高分子成形品中に吸着剤を含有させ、この吸着剤にイソチオシアン酸アリルを吸着させて、上記高分子成形品表面からイソチオシアン酸アリルの蒸気を放散させることにより抗菌性を発揮させることが提案されている（特許文献２）。
【０００４】
しかし、イソチオシアン酸アリルを有害生物に対する忌避剤、抗菌防黴剤等として使用する場合、上記のようなフィルムに吸着等させた構成では効果が持続しないという問題点がある。この点を解決したものとして、特許文献３に開示されている樹脂成形体がある。この成形体では、有効成分であるイソチオシアン酸アリルを多く含み得るため、ある程度の持続性が期待できる。
【０００５】
しかしながら、この成形体は強固な硬化物であるため、経時的にその表面近傍のイソチオシアン酸アリルが揮散すると、その表面の硬化が更に進み、成形体の内部に含まれているイソチオシアン酸アリルがその表面まで移動しなくなる。そのため、高々約１ヶ月程度でイソチオシアン酸アリルの揮散量が低下し、忌避剤、抗菌防黴剤等として用いるには持続性が不十分であった。また、得られる成形体の形状の変形、加工は容易でなく、製品化に際しての取り扱い性にも問題があった。
【０００６】
本発明はこのような従来技術の問題点を解決するものであり、本発明の目的は、有害生物に対する忌避効果、抗菌防黴効果等を長期間発揮し得るゲル状樹脂成形体組成物を提供することである。
【０００７】
揮発性薬剤をゲル化剤を用いてゲル化させた場合、有効成分の成形体表面への経時的な移動が可能となり、取り扱い性も向上する。しかし、上述のゲル状樹脂成形体組成物は比較的多くの量の揮発性薬剤を含んでいるため、薬剤の揮散速度が大き過ぎる場合がある。このような場合には、ゲル状樹脂成形体組成物を揮発性薬剤の揮発ガスを透過させる包材等に収納してその速度を調節することが必要となる。
【０００８】
従って、本発明の他の目的は、薬剤の揮散速度を調節するため、ゲル状樹脂成形体組成物を収納体に収納した揮散性ゲル状包装薬剤を提供することである。
【０００９】
また、ゲル状樹脂成形体組成物を収納体に収納した揮散性ゲル状包装薬剤を調製する場合、揮発性薬剤のゲル化にはある程度の時間が必要なため、所定の形状にゲル化させた後、これを包装するには比較的長時間を要するうえに、多くの手間を要する。
【００１０】
本発明はこのような問題点をも解決するものであり、本発明の更なる目的は、ゲル化を待つことなく包装を行うことができる揮散性ゲル状包装薬剤及びその製造方法を提供することである。
【００１１】
更に、イソチオシアン酸アリル以外の揮散性薬剤に於いても、その揮散速度を調節する必要がある場合には、樹脂を用いて成形体とすることが必要であるが、この場合にも、長期に亘る揮散性薬剤の揮散の持続性が不十分であった。
【特許文献１】特開平３−１５１９７２号公報
【特許文献２】特開平３−２２３５号公報
【特許文献３】特開平９−１５１３１７号公報
【発明の開示】
【発明が解決しようとする課題】
【００１２】
本発明は、この問題点をも解決するものであり、本発明は、長期に亘り揮散性薬剤の揮散を持続させることができるゲル状樹脂成形体組成物を提供することをもその目的としている。
【課題を解決するための手段】
【００１３】
本発明のゲル状樹脂成形体組成物は、イソチオシアン酸アリルと樹脂基剤とを含有する樹脂成形体をゲル状に形成したことを特徴としている。イソチオシアン酸アリルを含有する樹脂成形体を、通常の硬化物ではなく、ゲル状としたことにより、有効成分であるイソチオシアン酸アリルの成形体表面への経時的な移動が可能となり、有害生物の忌避剤等として使用した場合の持続期間を長くすることができる。
【００１４】
上記に於いて、前記ゲル状樹脂成形体は、その全重量に対して、前記イソチオシアン酸アリルを２０重量％より多く８５重量％以下の範囲で含有していることが好ましい。イソチオシアン酸アリルの含有量がこのような範囲であれば容易にゲル化し、有害生物の忌避剤等として使用した場合の持続期間を長くすることができる。
【００１５】
本発明のゲル状樹脂成形体組成物は、イソチオシアン酸アリルの長期に亘る揮散持続性を有しているので忌避剤組成物として使用することができる。
【００１６】
また、本発明のゲル状樹脂成形体組成物は、イソチオシアン酸アリルの長期に亘る揮散持続性により、抗菌防黴剤としても使用することができる。
【００１７】
イソチオシアン酸アリル等の薬剤は比較的揮散性が高いものが多いため、上記ゲル状樹脂成形体組成物の使用に際しては、揮散速度の調節のための収納体に収納した揮散性ゲル状包装薬剤として使用するのが好ましい。これにより、揮散速度の調節が可能となり、更に長期に亘る揮散性を確保することができ、忌避剤、抗菌防黴剤としての揮散持続期間の設定が容易となる。
【００１８】
なお、本明細書中では、揮発性ゲル状包装薬剤は、ゲル状樹脂成形体組成物をゲル化させた後に収納体に収納したものと、後述するようにゲル化前のゲル状樹脂成形体組成物を収納体に充填した後にゲル化させたものの両方を含むものとする。また、本明細書に於ける揮発性ゲル状包装薬剤は、忌避のために使用される場合には収納体入りゲル状忌避剤と称し、抗菌防黴のために使用される場合には収納体入りゲル状抗菌防黴剤と称することとする。
【００１９】
本発明の揮散性ゲル状包装薬剤の製造方法は、揮発性薬剤とゲル基剤とを含有するゲル状樹脂成形体組成物を前記揮発性薬剤の揮発ガスを透過させる包材を少なくとも一部に有する収納体に収納してなる揮散性ゲル状包装薬剤の製造方法であって、揮発性薬剤とゲル化剤とを含有する薬剤混合物を調製し、次いで、該薬剤混合物を前記収納体に充填した後ゲル化させることにより前記ゲル状樹脂成形体組成物を形成することを特徴とする。
【００２０】
このようにゲル化剤を硬化前に収納体に充填することにより、ゲル化剤の硬化が完了するまで放置・冷却する必要がなくなり、例えば収納体に充填した後、すぐに段ボール箱等に詰めて、その箱の中で硬化させることが可能となる。従って、ゲル化剤の硬化前に於いても倉庫等に保管することができ、製造工程を大幅に短縮することができる。また、得られるゲル状樹脂成形体組成物中では、有効成分である揮発性薬剤のゲル表面への経時的な移動が可能となり、薬剤の揮発の持続期間を長く設定することができる。
【００２１】
本発明のゲル状樹脂成形体組成物及び揮散性ゲル状包装薬剤に含有されるイソチオシアン酸アリルは、上述のように、わさびの刺激性成分として知られており、本発明では天然物、化学合成物の何れも使用することができる。イソチオシアン酸アリルの含有量は、ゲル状樹脂成形体の全重量に対して、２０重量％より多く８５重量％以下の範囲である。この含有量が２０重量％以下では、得られる成形体組成物がゲル状とならずに硬くなり、イソチオシアン酸アリルが成形体組成物の内部から表面へ移行せず、イソチオシアン酸アリルの揮散の持続期間が短くなるので好ましくない。また、イソチオシアン酸アリル含有量が８５重量％より多いと、得られる成形体組成物がゲル状を維持することが困難となり、取り扱い性が悪くなるので好ましくない。
【００２２】
本発明に於いては、ゲル化剤として、揮発性薬剤により常温で膨潤又は溶解し得るものであれば使用することができる。具体的には、例えば、ポリウレタン樹脂、ポリアクリルアミド、ポリスチレン、ポリアミド、ポリアクリレート、これらの単量体の２種以上の共重合体等が挙げられる。揮発性薬剤としてイソチオシアン酸アリル、薄荷油及びジャスミンオイルを使用する場合には、これらの揮発性薬剤の溶解性、徐放性および製造の容易性という点でポリウレタン樹脂が好ましい。
【００２３】
本発明に於いては、樹脂基剤としてポリウレタン樹脂を好適に使用することができる。本発明に於けるゲル化剤として適したポリウレタン樹脂は、その原料であるポリイソシアネートとして以下のものを使用したものである。即ち、フェニレンジイソシアネート、トリレンジイソシアネート、ヘキサメチレンジイソシアネート、ジフェニルメタンジイソシアネート、ナフタレンジイソシアネート、キシリレンジイソシアネート、ポリメリックジフェニルメタンジイソシアネート、イソホロンジイソシアネート、トリジンジイソシアネート、水添キシリレンジイソシアネート、水添ジフェニルメタンジイソシアネート、リジンジイソシアネート、テトラメチルキシレンジイソシアネート、トリメチルヘキサメチレンジイソシアネート等の２官能のイソシアネート、１，６，１１−ウンデカントリイソシアネート、１，８−ジイソシアネート−４−イソシアネートメチルオクタン、１，３，６−ヘキサメチレントリイソシアネート、トリフェニルメタントリイソシアネート、トリス（イソシアネートフェニル）チオホスフェート、リジンエステルトリイソシアネート等の３官能のイソシアネートを挙げることができる。また、上記の他、上記２官能及び３官能のイソシアネートと、グリコール、ヘキサントリオール、トリメチロールプロパン、ペンタエリスリトール、ポリエーテルポリオール、ポリエステルポリオール等との付加物、２官能及び３官能のイソシアネートのイソシアヌレート変性体、ビュレット変性体及び誘導体等を挙げることができる。これらのポリイソシアネートは単独でもしくは２種以上併せて用いることができる。これらのポリイソシアネートのうち、ヘキサメチレンジイソシアネート、イソホロンジイソシアネート、テトラメチルキシレンジイソシアネート、これらのイソシアヌレート変性体，ビュレット変性体及び誘導体、１，３，６−ヘキサメチレントリイソシアネート、水添キシリレンジイソシアネート、並びに水添ジフェニルメタンジイソシアネートが、光に対して黄変せず商品価値を低下させないという観点から好ましい。
【００２４】
同様に、ポリウレタン樹脂の原料であるポリオールとしては、トリメチロールプロパン、ヘキサントリオール、エチレングリコール、プロピレングリコール、ヘキサンジオール等の脂肪族ポリオール、キシリレングリコール等の芳香族ポリオール、ハイドロキノン、カテコール等の多価フェノール、あるいはこれら多価フェノールとアルキレンオキシドとの縮合物、ポリエステルポリオール、ポリエーテルポリオール等のポリオールプレポリマー等があげられる。これらは単独でもしくは２種以上併せて用いられる。また、上記ポリオールとして、更に、ヒマシ油、ポリオキシアルキレンポリオール、ポリテトラメチレンエーテルグリコール等のポリエーテルポリオール、縮合系ポリエステルポリオール、ラクトン系ポリエステルジオール、ポリカーボネートジオール等のポリエステルポリオール等を使用することができ、これらは単独でもしくは２種以上併せて用いられる。そして、これらポリオールのなかでも、反応性という点からすれば、ヒマシ油を用いることが好ましい。
【００２５】
ポリウレタンを樹脂基剤として使用し、揮発性薬剤としてイソチオシアン酸アリルを使用する場合、得られる成形体がゲル状となるか否かは、原料のポリイソシアネート及びポリオールの種類と、イソチオシアン酸アリル、ポリイソシアネート及びポリオールの３者の配合比率とに依存する。表１は、ゲル状樹脂成形体の全重量に対するイソチオシアン酸アリルの含有量を４０重量％とした場合において、ポリイソシアネート（イソシアヌレート型ヘキサメチレンジイソシアネート）と、ポリオール（グリセリルトリリシノレート）との配合比率を変化させた場合に、良好なゲル状体が得られるか否か試験した結果を示している。同様に、ゲル状樹脂成形体の全重量に対するイソチオシアン酸アリルの含有量を６０重量％とした場合、及び８０重量％とした場合の試験結果を表２及び表３にそれぞれ示した。
【００２６】
【表１】
2006265558.tif 000002
【００２７】
【表２】
2006265558.tif 000003
【００２８】
【表３】
2006265558.tif 000004
【００２９】
表１から表３の結果から、イソチオシアン酸アリルの含有量が低い場合には、ポリイソシアネートとポリオールとの比率に殆ど関係なくゲル化が生じるが、イソチオシアン酸アリルの含有量が多くなるに伴って、ポリイソシアネートとポリオールとの配合比率が等量に近い場合にのみゲル化が生じるようになることが分かる。
【００３０】
本発明に於いては、得られる組成物は上述のようにゲル状であるが、具体的には０．１〜１００の範囲のゴム強度を有していることが好ましく、５〜８５の範囲のゴム強度を有していることがより好ましい。ここで、本明細書中に於けるゴム強度とは、アスカーゴム硬度計Ｃ型を用いて測定した値である。ゴム強度が０．１より小さいと、成形体組成物がゲル状とならず、取扱性が悪くなるので好ましくない。また、ゴム強度が１００より大きいと、成形体組成物が硬くなり、イソチオシアン酸アリルが成形体の内部から表面に速やかに移行しなくなり、イソチオシアン酸アリルの揮散性が低下するので好ましくない。
【００３１】
本発明のゲル状樹脂成形体組成物は種々の形状で使用することができ、例えば、塊状、シート状、フィルム状、粒状、粉末状等の他、例えば種々の形状の物品の表面に形成した皮膜状として使用することができる。このようなゲル状樹脂成形体組成物は、イソチオシアン酸アリルを長期間に亘って揮散するので、ゲル状忌避剤組成物又はゲル状抗菌防黴剤組成物として使用することができる。このようなゲル状樹脂成形体組成物は、揮散速度の調節ための収納体に収納した揮発性ゲル状包装薬剤として使用することが好ましい。
【００３２】
本発明のゲル状忌避剤組成物及び収納体入りゲル状忌避剤は、特に有害生物に対して使用することができる。ここで、有害生物としては、ゴキブリ、コクゾウムシ、白蟻、鼠、モグラ、犬、猫、鹿、カラス、熊、鳩等を挙げることができる。
【００３３】
本発明のゲル状忌避剤組成物及び収納体入りゲル状忌避剤は、ビル、家屋等の建築物の床下、天井等の居住空間に隣接する空間をはじめとして、貨物車、船、飛行機等の交通機関、倉庫（特に穀物倉庫）、温室（ガラス製、ビニールハウス等を含む）、タンス、押し入れ、米びつ、ゴミ収集場所、植林、庭、砂場、電気配線箇所、配電盤、鉄塔等、種々の場所で使用することができる。また、これらの場所に於いては、本発明のゲル状忌避剤及び収納体入りゲル状忌避剤は、据え置き、壁や天井等への張り付け、壁や天井等からの吊り下げ等の種々の方法によって設置することができる。
【００３４】
本発明のゲル状樹脂成形体組成物はイソチオシアン酸アリルを長期間に亘って揮散するので、ゲル状抗菌防黴剤組成物として使用することができる。本発明のゲル状樹脂成形体組成物は、イソチオシアン酸アリルの揮散速度の調節のための収納体に収納して、収納体入りゲル状抗菌防黴剤として使用することが好ましい。本発明のゲル状樹脂成形体組成物を収納体に収納することにより、イソチオシアン酸アリルの揮散速度をほぼ一様にすることができる。
【００３５】
本発明のゲル状抗菌防黴剤組成物及び収納体入りゲル状抗菌防黴剤は、例えば家庭用及び業務用冷蔵庫、掃除機、エアコン、換気扇等の電化製品、貨物車、船、飛行機等の交通機関、倉庫（特に穀物倉庫）、温室（ガラス製、ビニールハウス等を含む）、ビルや家屋等の建築物の床下及び天井、下駄箱、浴室、洗面台、台所、押し入れ等、種々の場所で使用することができる。また、これらの場所に於いては、本発明のゲル状抗菌防黴剤組成物及び収納体入りゲル状抗菌防黴剤は、据え置き、壁や天井等への張り付け、壁や天井等からの吊り下げ等の種々の方法によって設置することができる。
【００３６】
ここで、本発明のゲル状樹脂成形体組成物を収納する収納体としては、例えば図６に示すような容器を挙げることができる。この容器は、本発明のゲル状樹脂成形体組成物を収納する容器本体１と、容器本体１の開口部に取り外し可能に取り付けた蓋２と、この蓋２に設けた通気口３とを有している。この容器では、通気口３の大きさ及び数を変えることにより、イソチオシアン酸アリルの揮散速度を調節することができる。
【００３７】
また、本発明で使用する収納体として、イソチオシアン酸アリルを透過させ得る熱可塑性樹脂フィルムを有する包装袋を挙げることができる。このようなフィルムとして、ポリエチレン、ポリプロピレン、エチレン酢酸ビニル、ポリエチレンテレフタレート、ポリ塩化ビニル、ナイロン、ポリアセタール及びこれらのラミネートフィルム等を挙げることができる。また、本発明では、上記フィルムと不織布等の他の包材とラミネートしたものも使用することができる。他の包材と組み合わせることにより、上記フィルムの強化を図ると共に、印刷などが可能となり、製品としての外観を向上させることができる。
【００３８】
本発明に於ける包装袋の一例として、図７に示すものを挙げることができる。この包装袋４は、イソチオシアン酸アリルを透過させ得るフィルムと不織布とをラミネートしたラミネートフィルムからなり、３箇所のシール部５，６及び７でシールすることにより、本発明のゲル状樹脂成形体組成物が収納されている。この包装袋４では、イソチオシアン酸アリル透過性のフィルムの厚さ及び種類を変えることにより、イソチオシアン酸アリルの揮散速度を調節することができる。
【００３９】
更に、上記の収納体の外側に、ガス透過性包材にラミネートされたアルミ箔を更に備えた構成とすることができる。このようなアルミ箔を備えたことにより、揮散性ゲル状包装薬剤の使用を開始するまで揮発性薬剤の揮散を抑制することが可能となる。
【００４０】
本発明のゲル状樹脂成形体組成物は、単独でも使用することができるが、各種香料を含有する公知の芳香剤や悪臭を防止するための公知の脱臭剤等と併用することもできる。
【００４１】
本発明の揮散性ゲル状包装薬剤の製造方法は、揮散性ゲル状包装薬剤がシート状である場合に適用することができる。シート状のゲル状包装薬剤は邪魔にならないため、応用範囲は非常に広いという利点がある。このようなシート状のゲル状包装薬剤は、例えば図７と同様の袋状の収納体に揮発性薬剤とゲル化剤とを含有する混合物をゲル化剤の硬化前に充填することにより得られる。薬剤とゲル化剤の充填後、袋状の収納体はそのまま重ね合わせるなどして保管することができ、製造工程を大幅に短縮することができる。
【００４２】
本発明に於いてゲル化剤として使用されるポリウレタン樹脂は、イソチオシアン酸アリル以外の揮散性薬剤のゲル化にも使用することができる。具体的には、忌避剤、防虫剤、殺菌剤、殺虫剤、抗菌剤、農薬等を挙げることができる。
【００４３】
忌避剤及び防虫剤としては、植物製油、天然香料、合成香料の他、各種の合成化学物質を挙げることができる。植物製油の具体例として、イソチオシアン酸アリルの他に、ヒノキオイル、ヒバオイル、月桃油、柑橘オイル、生姜オイル、杉油、トウガラシオイル、カラシオイル等を挙げることができる。また、天然香料及び合成香料の具体例として、ブーケオイル、ローズオイル、グリーンフローラル、ユーカリオイル、ラベンダーオイル、ジャスミンオイル、レモンオイル、薄荷油等を挙げることができる。合成化学物質の具体例としては、サリチル酸メチル、ジエチルトルアミド、ジメチルフタレート、安息香酸デナトニウム、フェネチルアルコール、ビス（２−クロロ−１−メチルエチル）エーテル、ナフタリン、Ｃ1〜8のジアルキルフタレート、２−（４−エトキシフェニル）−２−メチルプロピル  ３−フェノキシ  エーテル等を挙げることができる。
【００４４】
殺菌剤及び殺虫剤の具体例としては、イソチオシアン酸アリルの他、ジメチル−２，２−ジクロロビニルホスフェート（ＤＤＶＰ）、ピレトリン、パラチオン、クロルジメチルフェノール、ブロムメチルベンズアルデヒド等を挙げることができる。
【００４５】
抗菌剤の具体例としては、イソチオシアン酸アリルの他、ユーカリオイル、ヒバオイル、ヒノキチオール、リナロール、リモネン、ジエチルトルアミド、薄荷油、ヨモギオイル等を挙げることができる。
【００４６】
農薬の具体例としては、殺虫及び殺菌に使用されるものとして、ジメチル−２，２−ジクロロビニルホスフェート（ＤＤＶＰ）、ｏ，ｏ−ジメチル−ｏ−（３−メチル−４−ニトロフェニル）チオホスフェート、ジメチルジカルベトキシエチルジチオホスフェート、２−（４−エトキシフェニル）−２−メチルプロピル  ３−フェノキシベンジル  エーテル、ビス（ジメチルチオカルバモイル）ジスルフィド等を挙げることができ、除草剤に使用されるものとして、Ｓ−（２−クロルベンジル）  Ｎ，Ｎ−ジエチルチオカルバメート、Ｓ−ベンジル  １，２−ジメチルプロピル（エチル）チオカルバマート等を挙げることができ、薫蒸剤に使用されるものとして、メチルイソチオシアネート、臭化メチル、クロルピクリン等を挙げることができ、誘引剤に使用されるものとして、テレピン油、ピネン油等を挙げることができる。
【００４７】
揮散性薬剤として薄荷油又はジャスミンオイルを使用する場合には、薄荷油又はジャスミンオイルを２０重量％より多く４０重量％以下の範囲で含有していることが好ましい。この範囲が２０重量％以下では、薄荷油又はジャスミンオイルの揮散量が少なく、揮散の持続期間が短くなるので好ましくない。また、上記範囲が４０重量％より多いと、得られる組成物がゲル状とならないたので好ましくない。
【００４８】
ポリウレタンを樹脂基剤として使用する場合、得られる成形体がゲル状となるか否かは、原料のポリイソシアネート及びポリオールの種類と、揮散性薬剤、ポリイソシアネート及びポリオールの３者の配合比率とに依存する。表４〜表８は、揮散性薬剤として薄荷油を用い、ポリイソシアネート（イソシアヌレート型ヘキサメチレンジイソシアネート）と、ポリオール（グリセリルトリリシノレート）との配合比率を変化させた場合に、良好なゲル状体が得られるか否か試験した結果を示している。表４〜表８では、生成するゲル状樹脂成形体の全重量に対する薄荷油の含有量を、それぞれ５重量％、１０重量％、２０重量％、４０重量％及び６０重量％とした場合の結果が示されている。
【００４９】
表４〜表８の結果から、薄荷油の含有量が低い場合には、ポリイソシアネートとポリオールとの比率に殆ど関係なくゲル化が生じるが、薄荷油の含有量が多くなるに伴って、ポリイソシアネートとポリオールとの配合比率（重量比）が８０：２０に近い場合にのみ良好なゲルが形成されることが分かる。
【００５０】
【表４】
2006265558.tif 000005
【００５１】
【表５】
2006265558.tif 000006
【００５２】
【表６】
2006265558.tif 000007
【００５３】
【表７】
2006265558.tif 000008
【００５４】
【表８】
2006265558.tif 000009
【００５５】
同様に、表９〜表１５は、揮散性薬剤としてジャスミンオイルを用い、ポリイソシアネート（イソシアヌレート型ヘキサメチレンジイソシアネート）と、ポリオール（グリセリルトリリシノレート）との配合比率を変化させた場合に、良好なゲル状体が得られるか否か試験した結果を示している。表９〜表１５では、生成するゲル状樹脂成形体の全重量に対するジャスミンオイルの含有量を、それぞれ５重量％、１０重量％、２０重量％、４０重量％及び６０重量％とした場合の結果が示されている。
【００５６】
表９〜表１５の結果から、ジャスミンオイルの含有量が低い場合には、ポリイソシアネートとポリオールとの比率に殆ど関係なくゲル化が生じるが、ジャスミンオイルの含有量が多くなるに伴って、ポリイソシアネートとポリオールとの配合比率（重量比）が８０：２０に近い場合にのみ良好なゲルが形成されることが分かる。
【００５７】
【表９】
2006265558.tif 000010
【００５８】
【表１０】
2006265558.tif 000011
【００５９】
【表１１】
2006265558.tif 000012
【００６０】
【表１２】
2006265558.tif 000013
【００６１】
【表１３】
2006265558.tif 000014
【００６２】
本発明の揮散性薬剤をポリウレタンをゲル化剤としてゲル化させた組成物は、具体的には、上述と同様に、アスカーゴム硬度計Ｃ型を用いて測定したゴム強度が０．１〜１００の範囲のゴム強度を有していることが好ましく、５〜８５の範囲のゴム強度を有していることがより好ましい。上述と同様に、ゴム強度が０．１より小さいと、成形体組成物がゲル状とならず、取扱性が悪くなるので好ましくない。また、ゴム強度が１００より大きいと、成形体組成物が硬くなり、イソチオシアン酸アリルが成形体の内部から表面に速やかに移行しなくなり、イソチオシアン酸アリルの揮散性が低下するので好ましくない。
【００６３】
また、本発明の揮散性薬剤をポリウレタンをゲル化剤としてゲル化させたゲル状樹脂成形体組成物は種々の形状で使用することができ、例えば、塊状、シート状、フィルム状、粒状、粉末状等の他、例えば種々の形状の物品の表面に形成した皮膜状として使用することができる。このようなゲル状樹脂成形体組成物は、揮散性薬剤を長期間に亘って揮散するので、種々の用途に使用することができる。
【発明を実施するための最良の形態】
【００６４】
（実施例１〜４）
表１４の実施例１〜４の欄に示す配合比率で、同表の上より順に混合溶解した。最後にジブチルチンジラウレートを添加混合した後、内径３５ｍｍ、高さ３５ｍｍのスチロール製容器に１５ｇ充填して室温下に静置した。充填から２時間後には流動性のないゲル状成形体となった。これらを実施例１〜４の収納体入りゲル状忌避剤とした。
【００６５】
【表１４】
2006265558.tif 000015
【００６６】
（実施例５〜８）
実施例１〜４と同様に、表１４の実施例１〜４の欄に示す配合比率で、同表の上より順に混合溶解した。最後にジブチルチンジラウレートを添加混合した後、アルミ製の１０ｃｍ×５ｃｍの型枠に２５ｇ流し込み水平にして室温下に静置した。２時間後には流動性のない厚み０．５ｃｍのゲル状成形体のシートとして得られた。
【００６７】
（実施例９〜１１）
実施例６（イソチオシアン酸アリル含有率４０％）で得られたシートを内側にポリエチレンをラミネートしたアルミ製の袋の片面に直径１ｃｍの穴を３個設けたもの（６ｃｍ×６ｃｍの大きさ）、ポリプロピレン製の袋（６ｃｍ×６ｃｍの大きさ）及びポリエチレン製の袋（６ｃｍ×６ｃｍの大きさ）にそれぞれ入れたものを実施例９〜１１の収納体入りゲル状忌避剤とした。
【００６８】
＜揮散性試験＞
実施例１〜４のスチロール製容器入りのゲル状成形体を用いて、イソチオシアン酸アリルの揮散性試験を行った。その結果を図１〜４に示した。揮散率は、ゲルの初期重量に対する減量値の比率（重量％）で表した。比較のために、イソチオシアン酸アリルを液体のまま実施例１〜４と同じ容器に入れ、ゲル状成形体と並行して揮散テストを行った（比較例１〜４）。比較例１〜４に於ける液体のイソチオシアン酸アリルの重量は、対応する実施例１〜４のゲル中に含まれるイソチオシアン酸アリルと同重量である。
【００６９】
図１〜４から明らかなように、イソチオシアン酸アリルをゲル化することにより、イソチオシアン酸アリルの揮散速度をコントロールすることが可能となることが分かる。即ち、液状のイソチオシアン酸アリルでは何れも１５日以内に全量揮散してしまうのに対して、ゲル化することにより２〜３ヶ月又はそれ以上の持続性を発揮することが分かる。
【００７０】
次に、実施例５〜８のゲル状成形体シートを用いて揮散性テストを行った。その結果を図５に示した。図５からも明らかなように、イソチオシアン酸アリルをゲル化することにより、イソチオシアン酸アリルの揮散速度をコントロールすることができる。
【００７１】
＜忌避試験＞
次に、実施例１〜４、実施例５〜８及び実施例９〜１１の各ゲル状忌避剤を用いて、クマネズミの忌避試験を行った。図８に示すように、アクリル板からなる中央の部屋Ｔと、その周りに同じくアクリル板からなる部屋Ａ，Ｂ，Ｃ及びＤとを作製した。中央の部屋Ｔと各部屋Ａ，Ｂ，Ｃ及びＤとの間を金網の通路で連結し、部屋Ａ，Ｂ，Ｃ及びＤの入口はクマネズミが自由に出入り可能な扉で仕切ってある。中央の部屋Ｔはクマネズミの居住空間とし、部屋Ａ，Ｂ，Ｃ及びＤは餌場とした。
【００７２】
部屋Ａには水と餌（固形飼料、野菜）のみを置き、部屋Ｂには水と餌（固形飼料、野菜）と実施例１〜４の容器入りゲル状忌避剤、部屋Ｃには水と餌（固形飼料、野菜）と実施例５〜８のゲル状忌避剤シート、部屋Ｄには水と餌（固形飼料、野菜）と実施例９〜１１の包装袋入りゲル状忌避剤シートを入れた。各忌避剤のサンプルは、形状等が異なっていてもイソチオシアン酸アリルの総量が５ｇとなるように重量を調整して用いた。
【００７３】
上記のように設置した後、中央の部屋Ｔにクマネズミ５頭を放してクマネズミの状態を５日間観察し、水と餌の減量をチェックする。ゲル状忌避剤のサンプルはそのままの状態に保ち、１ケ月後、改めて各部屋Ａ〜Ｄに水と餌を入れ、新しいクマネズミを入れ、５日間観察し、水と餌の減量をチェックする。この試験を１ヶ月毎に繰り返し行うことにより、忌避効果の評価を行った。
【００７４】
部屋Ｂでは、上述のように実施例１〜４の容器入りの忌避剤を用いて試験を行った。実施例４の忌避剤（イソチオシアン酸アリル含有率８０％）では２ヶ月後、実施例３の忌避剤（イソチオシアン酸アリル含有率６０％）では４ヶ月後、実施例２の忌避剤（イソチオシアン酸アリル含有率４０％）では８ヶ月後、実施例１の忌避剤（イソチオシアン酸アリル含有率２５％）では１０ヶ月後にそれぞれ餌が減り始めた。また、実施例１〜４の忌避剤に直径１ｍｍの穴２０個を設けた内蓋をしたものは１年を経過しても餌の採取が認められなかった。
【００７５】
また、部屋Ｃでは、実施例５〜８のシート状の忌避剤を用いて試験を行った。実施例８のシート状忌避剤（イソチオシアン酸アリル含有率８０％）では１ヶ月後、実施例７のシート状忌避剤（イソチオシアン酸アリル含有率６０％）では１．５ヶ月後、実施例６のシート状忌避剤（イソチオシアン酸アリル含有率４０％）では２ヶ月後、実施例５のシート状忌避剤（イソチオシアン酸アリル含有率２５％）では３ヶ月後にそれぞれ餌が減り始めた。
【００７６】
部屋Ｄでは、実施例９〜１１（何れもイソチオシアン酸アリル含有率４０％）のポリエチレン包装、ポリプロピレン包装及びアルミ包装した忌避剤は、何れも４ヶ月後に餌が減り始めた。
【００７７】
以上の結果から、実施例１〜１１の何れも、長期に亘ってクマネズミに対する忌避効果を発揮することが分かる。
【００７８】
なお、上記ではクマネズミに対する忌避効果を調べたが、本発明のゲル状樹脂成形体組成物は、例えばゴキブリ、コクゾウムシ、白蟻、モグラ、犬、猫、鹿、カラス、熊、鳩等の他の有害生物に対しても忌避効果を発揮することを確認した。
【００７９】
（実施例１２〜１４）
表１４に示す配合比率で、同表の上より順に混合溶解した。次に、これにジブチルチンジラウレートを添加混合して薬剤混合物を調製した。この薬剤混合物５ｇを内辺が４．５ｃｍ×４．５ｃｍのポリプロピレン製の袋状の収納体に充填し、ヒートシールにより密封した。これを水平に放置し、充填から３時間後には流動性のないシート状の揮散性ゲル状包装薬剤を得た。
【００８０】
（実施例１５〜１７）
実施例１２〜１４の配合（表１４）により調製した薬剤混合物５ｇを、ポリプロピレン製の袋状の収納体に充填した後、ゲル化前に、内面にポリエチレンフィルムをラミネートしたアルミ箔の袋に入れた。これを水平に放置し、充填から３時間後には流動性のないシート状の揮散性ゲル状包装薬剤を得た。
【００８１】
（実施例１８〜２０）
実施例１２〜１４と同様の配合（表１４）により薬剤混合物を調製した。この薬剤混合物５ｇを、内辺が４．５ｃｍ×４．５ｃｍの、内面にポリエチレンフィルムをラミネートしたアルミ箔の袋状の収納体に充填し、ヒートシールにより密封した。これを水平に放置し、充填から３時間後には流動性のないシート状の揮散性ゲル状包装薬剤を得た。
【００８２】
（比較例５〜７）
実施例１２〜１４と同様の配合（表１４）により薬剤混合物を調製した。この薬剤混合物５ｇを、アルミ製の４．５ｃｍ×４．５ｃｍの型枠に流し込み、水平にして室温下に静置した。３時間後には流動性のないシート状のゲル状樹脂成形体組成物として得られた。
【００８３】
＜揮散性試験＞
実施例１２〜１４の揮散性ゲル状包装薬剤と、アルミ箔を剥がした実施例１５〜１７の揮散性ゲル状包装薬剤と、アルミ箔を剥がした実施例１８〜２０の揮散性ゲル状包装薬剤と、比較例５〜７のシート状ゲル状樹脂成形体組成物を用いて、イソチオシアン酸アリルの揮散性試験を行った。その結果、収納体に入っていない比較例５〜７のゲル状樹脂成形体組成物では、何れも５０日以内に殆どのイソチオシアン酸アリルが揮発してしまったのに対して、実施例１２〜２０の揮散性ゲル状包装薬剤では、３〜４ヶ月又はそれ以上に亘り、イソチオシアン酸アリルの揮散持続性を発揮した。
【００８４】
（実施例２１及び２２）
表１５の実施例２１及び２２に示す配合比率で、同表の上より順に混合溶解した。最後にジブチルチンジラウレートを添加混合した後、内径３５ｍｍ、高さ３５ｍｍのスチロール製容器に１５ｇ充填して室温下に静置した。充填から２時間後には流動性のないゲル状成形体となった。これらを実施例２１及び２２の収納体入りゲル状忌避剤とした。
【００８５】
【表１５】
2006265558.tif 000016
【００８６】
（実施例２３及び２４）
実施例２１及び２２と同様に、表１５の実施例２１及び２２の欄に示す配合比率で、同表の上より順に混合溶解した。最後にジブチルチンジラウレートを添加混合した後、アルミ製の１０ｃｍ×５ｃｍの型枠に２５ｇ流し込み水平にして室温下に静置した。２時間後には流動性のない厚み０．５ｃｍのゲル状成形体のシートとして得られた。
【００８７】
＜揮散性試験＞
実施例２１及び２２のスチロール製容器入りのゲル状成形体を用いて、薄荷油及びジャスミンオイルの揮散性試験を行った。その結果を図９及び図１１にそれぞれ示した。揮散率は、ゲルの初期重量に対する減量値の比率（重量％）で表した。比較のために、薄荷油及びジャスミンオイルを液体のまま実施例２１及び２２と同じ容器に入れ、ゲル状成形体と並行して揮散テストを行った（比較例８及び９）。比較例８及び９に於ける液体の薄荷油及びジャスミンオイルのそれぞれの重量は、対応する実施例２１及び２２のゲル中にそれぞれ含まれる薄荷油及びジャスミンオイルと同重量である。
【００８８】
図９及び図１１から明らかなように、薄荷油及びジャスミンオイルをゲル化することにより、その揮散速度をコントロールすることが可能となることが分かる。即ち、液状の薄荷油及びジャスミンオイルでは何れも６０日以内に全量揮散してしまうのに対して、ゲル化することにより８ヶ月又はそれ以上の持続性を発揮することが分かる。
【００８９】
次に、実施例２３及び２４のゲル状成形体シートを用いて揮散性テストを行った。その結果を図１０及び図１２にそれぞれ示した。図１０及び図１２からも明らかなように、薄荷油及びジャスミンオイルをゲル化することにより、その揮散速度をコントロールすることができる。
【００９０】
なお、上記では、バッチ式で薬剤混合物を調製する場合について説明したが、本発明はこれに限らず、例えばスタティックミキサーを用いて連続式で調製する場合にも適用することができる。
【００９１】
以上説明したように、本発明のゲル状樹脂成形体組成物は、イソチオシアン酸アリルと樹脂基剤とを含有する樹脂成形体がゲル状であるので、有効成分であるイソチオシアン酸アリルの成形体表面への経時的な移動が可能となり、有害生物の忌避剤、抗菌防黴剤等として使用した場合の持続期間を長くすることができる。
【００９２】
また、ゲル状樹脂成形体の全重量に対して、イソチオシアン酸アリルを２０重量％より多く８５重量％以下の範囲で含有しているので、イソチオシアン酸アリルの揮散を長期間に亘って維持することができる。
【００９３】
従って、本発明のイソチオシアン酸アリルを含有するゲル状樹脂成形体組成物は、長期間に亘って有害生物の忌避剤、抗菌防黴剤等としての効果を発揮することが可能である。
【００９４】
更に、本発明の収納体入りゲル状忌避剤及び収納体入りゲル状抗菌防黴剤は、比較的揮散性の高いイソチオシアン酸アリルの揮散をコントロールし得るので、更に長期に亘って忌避剤及び抗菌防黴剤としての効果を発揮することが可能である。
【００９５】
また、本発明の揮散性ゲル状包装薬剤の製造方法によれば、揮発性薬剤とゲル化剤とを含有する薬剤混合物を、ゲル化剤の硬化前に収納体に充填するので、ゲル化剤の硬化が完了するまで放置する必要がなくなり、製造工程を大幅に短縮することができる。
【００９６】
加えて、本発明の揮散性薬剤をポリウレタンをゲル化剤として用いてゲル化したゲル状樹脂成形体組成物では、有効成分である揮散性物質がゲル内に保持されるので、揮散性物質の成形体表面への経時的な移動が可能となり、長期に亘り揮散性薬剤の揮散を持続させることができる。
【産業上の利用可能性】
【００９７】
本発明のゲル状樹脂成形体組成物及び揮散性ゲル状包装薬剤は、薬剤の揮散を長期に亘って持続するので、忌避剤等の分野で利用可能である。
【図面の簡単な説明】
【００９８】
【図１】図１は、イソチオシアン酸アリルの含有量２５％のゲル状忌避剤組成物を収納したスチロール製容器の収納体入りゲル状忌避剤の揮散性試験の結果を示している。
【図２】図２は、イソチオシアン酸アリルの含有量４０％のゲル状忌避剤組成物を収納したスチロール製容器の収納体入りゲル状忌避剤の揮散性試験の結果を示している。
【図３】図３は、イソチオシアン酸アリルの含有量６０％のゲル状忌避剤組成物を収納したスチロール製容器の収納体入りゲル状忌避剤の揮散性試験の結果を示している。
【図４】図４は、イソチオシアン酸アリルの含有量８０％のゲル状忌避剤組成物を収納したスチロール製容器の収納体入りゲル状忌避剤の揮散性試験の結果を示している。
【図５】図５は、ゲル状成形体シートを用いた揮散性試験の結果を示す図である。
【図６】図６は、ゲル状成形体組成物を収納する容器の一例を示す図である。
【図７】図７は、ゲル状成形体組成物を収納する包装袋の一例を示す図である。
【図８】図８は、忌避試験を行うための部屋Ａ〜Ｂ及びＴの配置図である。
【図９】図９は、スチロール製容器入りのゲル状成形体を用いて、薄荷油の揮散性試験を行なった結果を示す図である。
【図１０】図１０は、薄荷油のゲル状成形体シートを用いて揮散性テストを行った結果を示す図である。
【図１１】図１１は、スチロール製容器入りのゲル状成形体を用いて、ジャスミンオイルの揮散性試験を行なった結果を示す図である。
【図１２】図１２は、ジャスミンオイルのゲル状成形体シートを用いて揮散性テストを行った結果を示す図である。
【図１】
2006265558.tif 000017
【図２】
2006265558.tif 000018
【図３】
2006265558.tif 000019
【図４】
2006265558.tif 000020
【図５】
2006265558.tif 000021
【図６】
2006265558.tif 000022
【図７】
2006265558.tif 000023
【図８】
2006265558.tif 000024
【図９】
2006265558.tif 000025
【図１０】
2006265558.tif 000026
【図１１】
2006265558.tif 000027
【図１２】
2006265558.tif 000028